(57)【特許請求の範囲】
【請求項１】
移動通信端末の位置情報を管理し、前記位置情報に基づいて前記移動通信端末に係る回線接続要求に関わる交換局間の回線接続を制御する回線接続制御装置であって、
前記位置情報の変位を変位情報として保持する変位情報保持手段と、
所定のタイミングを示す時間情報を受け付ける時間情報受付手段と、
所定の範囲内を示す領域情報を受け付ける領域情報受付手段と、
前記時間情報受付手段によって受け付けた時間情報と、前記領域情報受付手段によって受け付けた領域情報とに基づいて、前記変位情報保持手段によって保持された変位情報より、前記所定のタイミングに前記所定の範囲内に存在した移動通信端末を探索する探索手段と、
前記探索手段によって前記所定のタイミングに前記所定の範囲内に存在したことが判明した移動通信端末に対して識別情報を付与する識別情報付与手段と、
接続元と接続先の少なくとも一方が前記移動通信端末であって、当該移動通信端末に前記識別情報が付与されている場合に、当該回線接続要求に対する優先した回線接続を要求する優先接続要求手段と、
を備えたことを特徴とする回線接続制御装置。
【請求項２】
所定の条件を満たした移動通信端末に付与された識別情報を消去する識別情報消去手段をさらに備えたことを特徴とする請求項１に記載の回線接続制御装置。
【請求項３】
前記識別情報消去手段は、前記識別情報が付与されてからの経過時間に基づいて前記移動通信端末に付与された識別情報を消去することを特徴とする請求項２に記載の回線接続制御装置。
【請求項４】
前記識別情報消去手段は、前記移動通信端末の移動状態に基づいて前記移動通信端末に付与された識別情報を消去することを特徴とする請求項２に記載の回線接続制御装置。
【請求項５】
前記識別情報消去手段は、前記移動通信端末の前記所定の範囲からの逸脱距離に基づいて前記移動通信端末に付与された識別情報を消去することを特徴とする請求項２に記載の回線接続制御装置。
【請求項６】
移動通信端末の位置情報を管理し、前記位置情報に基づいて前記移動通信端末に係る回線接続要求に関わる交換局間の回線接続を制御する回線接続制御方法であって、
所定のタイミングを示す時間情報を受け付ける時間情報受付工程と、
所定の範囲内を示す領域情報を受け付ける領域情報受付工程と、
前記時間情報受付工程によって受け付けた時間情報と、前記領域情報受付工程によって受け付けた領域情報とに基づいて、前記位置情報の変位を変位情報として保持する変位情報保持手段によって保持された変位情報より、前記所定のタイミングに前記所定の範囲内に存在した移動通信端末を探索する探索工程と、
前記探索工程によって前記所定のタイミングに前記所定の範囲内に存在したことが判明した移動通信端末に対して識別情報を付与する識別情報付与工程と、
接続元と接続先の少なくとも一方が前記移動通信端末であって、当該移動通信端末に前記識別情報が付与されている場合に、当該回線接続要求に対する優先した回線接続を要求する優先接続要求工程と、
を含んだことを特徴とする回線接続制御方法。
【請求項７】
移動通信端末の位置情報を管理し、前記位置情報に基づいて前記移動通信端末に係る回線接続要求に関わる交換局間の回線接続を制御する方法をコンピュータに実行させる回線接続制御プログラムであって、
所定のタイミングを示す時間情報を受け付ける時間情報受付手順と、
所定の範囲内を示す領域情報を受け付ける領域情報受付手順と、
前記時間情報受付手順によって受け付けた時間情報と、前記領域情報受付手順によって受け付けた領域情報とに基づいて、前記位置情報の変位を変位情報として保持する変位情報保持手段によって保持された変位情報より、前記所定のタイミングに前記所定の範囲内に存在した移動通信端末を探索する探索手順と、
前記探索手順によって前記所定のタイミングに前記所定の範囲内に存在したことが判明した移動通信端末に対して識別情報を付与する識別情報付与手順と、
接続元と接続先の少なくとも一方が前記移動通信端末であって、当該移動通信端末に前記識別情報が付与されている場合に、当該回線接続要求に対する優先した回線接続を要求する優先接続要求手順と、
をコンピュータに実行させることを特徴とする回線接続制御プログラム。
【発明の詳細な説明】
【技術分野】
【０００１】
この発明は、移動通信端末の位置情報を管理し、位置情報に基づいて移動通信端末に係る回線接続要求に関わる交換局間の回線接続を制御する回線接続制御装置、回線接続制御方法および回線接続制御プログラムに関する。
【背景技術】
【０００２】
従来、移動無線ネットワークでは、各ノードに当該ノードの処理能力を超えた数の回線接続要求が集中する輻輳を防止するため、回線接続の制御が行われる。具体的には、このような制御を実現する回線接続制御装置は、移動通信端末による回線接続要求を優先すべきものか、そうでないものかに判別し、優先すべき移動通信端末のみが回線に接続されるように制御する。
【０００３】
上記した優先すべき移動通信端末のみを回線に接続する制御を行うのは以下の理由による。つまり、例えば災害の発生により、被災者同士、あるいは、被災者と遠方の家族の安否確認や連絡はもちろん、その他の情報交換（例えば、野次馬によるものも含まれる）で移動通信端末による回線接続要求が急激に増加し、輻輳が起こってしまう場合がある。このような輻輳を防止し、被災者の移動通信端末による回線接続要求、および、被災者の移動通信端末への回線接続要求を緊急性の高いものとして、回線に優先して接続することが望まれるためである。
【０００４】
ところで、回線接続要求を優先すべきものか、そうでないものかに判別する手法として、例えば、特許文献１では、以下のような技術が開示されている。つまり、輻輳制御装置は、ＧＰＳ（Global Positioning System）などを利用して生成された各移動通信端末の現在位置を位置情報として保持する。災害が発生するなどして輻輳が起こると、輻輳制御装置は、所定の範囲を特定地域として設定する。その後、輻輳制御装置は、回線接続要求を受け付けた場合に、保持している位置情報によって、特定地域内に存在する移動通信端末による回線接続要求であるか否か、または、特定地域内に存在する移動通信端末への回線接続要求であるか否か、を判断する。判断の結果、輻輳制御装置は、特定地域内に存在する移動通信端末による回線接続要求、または、特定地域内に存在する移動通信端末への回線接続要求については優先すべきものとして判別し、かかる回線接続要求を行った移動通信端末を優先して回線に接続するように制御するというものである。
【０００５】
【特許文献１】特開２００１−１６９３６０号公報
【発明の開示】
【発明が解決しようとする課題】
【０００６】
上記した従来の技術では、回線接続要求を受け付けた時点に、当該回線接続要求を行った移動通信端末、または、当該回線接続要求の接続先である移動通信端末が特定地域内に存在するか否かを判定することで、当該受け付けた回線接続要求に対して優先して回線の接続処理を行うか否かを判断していた。ところで、被災者は、災害発生後、例えば難を逃れるために現場から離れて自身の被害状況を知らせるといった行動をとる場合がある。このような被災者の移動通信端末による回線接続要求、または、かかる移動通信端末への回線接続要求を優先すべきものとして判別し、かかる回線接続要求に対して優先して回線の接続処理を行うことが望まれる。
【０００７】
しかしながら、従来の技術では、特定地域内に存在する移動通信端末による回線接続要求、特定地域内に存在する移動通信端末への回線接続要求を優先し、かかる回線接続要求を行った移動通信端末を回線に接続するので、特定地域外に離れてしまった移動通信端末については、優先的な回線接続を継続することができない。このため、優先的な回線接続が受けられる区域として指定された範囲内に、当該指定がなされた時点に存在していた移動通信端末による回線接続要求、または、かかる移動通信端末への回線接続要求に対する回線接続の優先性を範囲外において継続することができないという課題があった。
【０００８】
そこで、この発明は、上述した従来技術の課題を解決するためになされたものであり、優先的な回線接続が受けられる区域として指定された範囲内に、当該指定がなされた時点に存在していた移動通信端末による回線接続要求、または、かかる移動通信端末への回線接続要求に対する回線接続の優先性を範囲外においても継続可能な回線接続制御装置、回線接続制御方法および回線接続制御プログラムを提供することを目的とする。
【課題を解決するための手段】
【０００９】
上述した課題を解決し、目的を達成するため、本発明は、移動通信端末の位置情報を管理し、前記位置情報に基づいて前記移動通信端末に係る回線接続要求に関わる交換局間の回線接続を制御する回線接続制御装置であって、所定のタイミングに所定の範囲内に存在した移動通信端末に対して識別情報を付与する識別情報付与手段と、接続元と接続先の少なくとも一方が前記移動通信端末であって、当該移動通信端末に前記識別情報が付与されている場合に、当該回線接続要求に対する優先した回線接続を要求する優先接続要求手段と、を備えたことを特徴とする。
【００１０】
また、本発明は、上記の発明において、前記位置情報の変位を変位情報として保持する変位情報保持手段と、前記所定のタイミングを示す時間情報を受け付ける時間情報受付手段と、前記所定の範囲内を示す領域情報を受け付ける領域情報受付手段と、をさらに備え、前記時間情報受付手段によって受け付けた時間情報と、前記領域情報受付手段によって受け付けた領域情報とに基づいて、前記変位情報保持手段によって保持された変位情報より、所定のタイミングに所定の範囲内に存在した移動通信端末を探索する探索手段と、前記識別情報付与手段は、前記探索手段によって所定のタイミングに所定の範囲内に存在したことが判明した移動通信端末に対して前記識別情報を付与することを特徴とする。
【００１１】
また、本発明は、上記の発明において、所定の条件を満たした移動通信端末に付与された識別情報を消去する識別情報消去手段をさらに備えたことを特徴とする。
【００１２】
また、本発明は、上記の発明において、前記識別情報消去手段は、前記識別情報が付与されてからの経過時間に基づいて前記移動通信端末に付与された識別情報を消去することを特徴とする。
【００１３】
また、本発明は、上記の発明において、前記識別情報消去手段は、前記移動通信端末の移動状態に基づいて前記移動通信端末に付与された識別情報を消去することを特徴とする。
【００１４】
また、本発明は、上記の発明において、前記識別情報消去手段は、前記移動通信端末の前記所定の範囲からの逸脱距離に基づいて前記移動通信端末に付与された識別情報を消去することを特徴とする。
【００１５】
また、本発明は、移動通信端末の位置情報を管理し、前記位置情報に基づいて前記移動通信端末に係る回線接続要求に関わる交換局間の回線接続を制御する回線接続制御方法であって、所定のタイミングに所定の範囲内に存在した移動通信端末に対して識別情報を付与する識別情報付与工程と、接続元と接続先の少なくとも一方が前記移動通信端末であって、当該移動通信端末に前記識別情報が付与されている場合に、当該回線接続要求に対する優先した回線接続を要求する優先接続要求工程と、を含んだことを特徴とする。
【００１６】
また、本発明は、移動通信端末の位置情報を管理し、前記位置情報に基づいて前記移動通信端末に係る回線接続要求に関わる交換局間の回線接続を制御する方法をコンピュータに実行させる回線接続制御プログラムであって、所定のタイミングに所定の範囲内に存在した移動通信端末に対して識別情報を付与する識別情報付与手順と、接続元と接続先の少なくとも一方が前記移動通信端末であって、当該移動通信端末に前記識別情報が付与されている場合に、当該回線接続要求に対する優先した回線接続を要求する優先接続要求手順と、をコンピュータに実行させることを特徴とする。
【発明の効果】
【００１７】
本発明によれば、所定のタイミングに所定の範囲内に存在した移動通信端末に対して識別情報を付与し、接続元と接続先の少なくとも一方が移動通信端末であって、当該移動通信端末に識別情報が付与されている場合に、当該回線接続要求に対する優先した回線接続を要求するので、優先的な回線接続が受けられる区域として指定された範囲内に、当該指定がなされた時点に存在していた移動通信端末による回線接続要求、または、かかる移動通信端末への回線接続要求に対する回線接続の優先性を範囲外においても継続することが可能となる。
【００１８】
本発明によれば、位置情報の変位を変位情報として保持しておき、所定のタイミングを示す時間情報と、所定の範囲内を示す領域情報とを受け付ける。そして、時間情報と、領域情報とに基づいて、変位情報より、所定のタイミングに所定の範囲内に存在した移動通信端末を探索し、探索の結果、所定のタイミングに所定の範囲内に存在したことが判明した移動通信端末に対して識別情報を付与する。このようにすることで、過去から現在までの任意のタイミングに、または、期間に所定の範囲内に存在した移動通信端末に対しても識別情報を付与することが可能となる。
【００１９】
本発明によれば、移動通信端末に付与された識別情報を消去することで、移動通信端末が有していた回線接続の優先性を剥奪することが可能となる。
【発明を実施するための最良の形態】
【００２０】
以下に添付図面を参照して、この発明に係る回線接続制御装置の好適な実施の形態を詳細に説明する。
【実施例１】
【００２１】
［移動無線ネットワークの構成］
まず、図１を用いて、携帯電話などの移動通信端末を通信端末とする電話網である移動無線ネットワークの構成を説明する。なお、図１は、移動無線ネットワークの構成例を示す図である。
【００２２】
図１に示すように、本発明に係る回線接続制御装置１０は、保守制御装置２０と、相互に通信可能な複数の移動交換局装置３０ａ１〜３０ａｎと、相互に通信可能に接続される。また、回線接続制御装置１０と、移動交換局装置３０ａ１〜３０ａｎとは、関門交換機を介すなどして他の電話網５０と接続されている。このため、別々の区域における移動通信端末同士が通信可能であるのはもちろん、移動通信端末と、固定電話などの通信端末とが通信可能である。
【００２３】
移動交換局装置３０ａ１〜３０ａｎの配下には、それぞれ複数の無線ネットワーク制御装置が設置され、移動交換局装置３０ａ１と無線ネットワーク制御装置４０ａ１〜４０ａｎとは、相互に通信可能に接続される（他の移動交換局装置３０ａ２〜３０ａｎについても同様である）。
【００２４】
無線ネットワーク制御装置４０ａ１〜４０ａｎの配下には、それぞれ複数の基地局が設置され、無線ネットワーク制御装置４０ａ１と基地局６０ａ１〜６０ａｎとは、相互に通信可能に接続される（他の無線ネットワーク制御装置４０ａ２〜４０ａｎについても、その他の無線ネットワーク制御装置についても同様である）。なお、無線ネットワーク制御装置は、無線回線制御、回線接続（終話）制御、移動（ハンドオーバ）制御、または、通信速度制御などを行う。
【００２５】
基地局は、自身が発射する電波の届く範囲で移動通信端末と通信し、移動通信端末による回線接続要求および位置登録で受信する情報を無線ネットワーク制御装置へ中継する。また、基地局は、無線ネットワーク制御装置から受信する情報を移動通信端末へ中継する。なお、本実施例では、基地局が発射する電波の届く範囲ごとに識別情報（以下、位置情報コードと呼称）が割り当てられ、かかる識別情報の単位で移動通信端末の現在位置を指示する。
【００２６】
［回線接続制御装置の概要および特徴］
次に、図２を用いて、移動無線ネットワークにおける回線接続制御装置の概要および特徴を説明する。図２は、回線接続制御装置の概要および特徴を説明するための図である。
【００２７】
回線接続制御装置の概要は、移動通信端末の位置情報を管理し、位置情報に基づいて移動通信端末に係る回線接続要求に関わる交換局間の回線接続を制御するという内容である。
【００２８】
具体的には、図２に示すように、回線接続制御装置は、全ての移動通信端末の位置を、上述した基地局が発射する電波の届く範囲ごとに割り当てられた位置情報コードで管理する。つまり、各基地局は、常時、ユニークな位置情報コードを発信している。そして、各移動通信端末は、位置情報コードを受信すると、かかる位置情報コードの送信元の基地局に対して、同様にユニークな移動通信端末識別子を送信する。回線接続制御装置は、このように基地局に送信された移動通信端末識別子を、無線ネットワーク制御装置、並びに、移動交換局装置経由で受信する。そして、回線接続制御装置は、受信するたびに移動通信端末識別子を更新して位置登録を行い、移動通信端末の位置情報を管理する。
【００２９】
ここで、例えば、回線接続制御装置は、移動通信端末による回線接続要求があると、管理している位置情報コードに基づいて、いずれの移動交換局装置の配下に接続先の移動通信端末が存在するかを認識し、接続元の移動通信端末を配下に置く移動交換局装置と、接続先の移動通信端末を配下に置く移動交換局装置との回線の接続をうながす。
【００３０】
この回線接続制御装置の特徴を説明すると、回線接続制御装置は、所定のタイミングに所定の範囲内に存在した移動通信端末に対して識別情報を付与する。そして、回線接続制御装置は、接続元と接続先の少なくとも一方が移動通信端末であって、当該移動通信端末に識別情報が付与されている場合に、当該回線接続要求を行った通信端末に対する優先した回線接続を要求する。こうすることで、優先的な回線接続が可能な区域として指定された範囲内に、当該指定がなされた時点に存在していた移動通信端末による回線接続要求、または、かかる移動通信端末への回線接続要求に対する回線接続の優先性を範囲外においても継続可能にしている。以上が回線接続制御装置の特徴である。
【００３１】
具体的には、図２に示すように、回線接続制御装置は、所定のタイミングで位置情報コード「０１」の範囲に存在した移動通信端末７０に対して識別情報８０を付与する。その後、回線接続制御装置は、移動通信端末７０による回線接続要求、または、移動通信端末７０への回線接続要求があった場合、移動通信端末７０に識別情報８０が付与されていることを条件に、当該回線接続要求に対する優先的な回線接続を、接続元または接続先の通信端末を配下に置く交換局に要求する。こうすることによって、仮に、移動通信端末７０が位置情報コード「０２」の範囲に移動したとしても、移動通信端末７０は、回線接続の優先性を位置情報コード「０１」の範囲外においても継続して受けることができる。
【００３２】
［移動無線ネットワークの各ノードの構成］
次に、図３を用いて、移動無線ネットワークの各ノード、つまり、回線接続制御装置１０、保守制御装置２０、移動交換局装置３０ａ１および無線ネットワーク制御装置４０ａ１の具体的な処理動作を説明する。なお、図３は、移動無線ネットワークの各ノードの構成を示すブロック図である。
【００３３】
［保守制御装置の構成および処理動作］
保守制御装置２０は、本発明に密接に関連するものとしては、緊急設定送受信部２１を備える。保守制御装置２０は、優先的な回線接続を与える範囲（上述した、基地局が発射する電波の届く範囲）を災害の状況などから決定した保守者より、位置情報コードの入力を受け付ける。そして、保守制御装置２０は、緊急設定送受信部２１によって、かかる位置情報コードを回線接続制御装置１０に対して送信する。
【００３４】
［無線ネットワーク制御装置の構成および処理動作］
無線ネットワーク制御装置４０ａ１は、本発明に密接に関連するものとしては、輻輳検出部４１と、回線接続処理部４２とを備える。
【００３５】
輻輳検出部４１は、無線ネットワーク制御装置４０ａ１が輻輳状態になるか否かを判断する。なお、輻輳状態になるか否かを判断する方法としては、例えば、無線ネットワークのトラヒック量を監視し、かかるトラヒック量があるレベル以上になるか否かによって判断する方法がある。そして、輻輳検出部４１は、輻輳状態になると判断した場合には、緊急呼制御の発動を指示する信号を回線接続処理部４２に出力する。なお、緊急呼制御とは、移動通信端末による回線接続要求を、緊急なもの、もしくは、緊急ではないものに区別し、緊急ではない回線接続要求を行った移動通信端末には、回線接続を拒否する応答を返す制御である。
【００３６】
回線接続処理部４２は、移動通信端末による回線接続要求を基地局経由で受け取る。ここで、回線接続処理部４２は、輻輳検出部４１から緊急呼制御の発動を指示する信号を受け取っている場合には、回線接続要求を緊急なものとして取り扱うか否かを、後述する優先接続要求部１３に対して移動交換局装置３０ａ１経由で問い合わせる。一方、回線接続処理部４２は、緊急呼制御の発動を指示する信号を受け取っていない場合には、通常通り回線の接続処理に移行する。例えば、回線接続処理部４２は、かかる問い合わせとして、接続元および接続先の２つの移動通信端末識別子を送信する。
【００３７】
そして、回線接続処理部４２は、回線接続要求を緊急なものとして取り扱う旨の応答を優先接続要求部１３が返してきた場合には、回線の接続処理に移行する。一方、回線接続要求を緊急ではないものとして取り扱う旨の応答を優先接続要求部１３が返してきた場合には、回線接続を拒否する応答を移動通信端末に対して基地局経由で返す。
【００３８】
［移動交換局装置の構成および処理動作］
移動交換局装置３０ａ１は、本発明に密接に関連するものとしては、輻輳検出部３１と、回線接続処理部３２とを備える。
【００３９】
輻輳検出部３１は、移動交換局装置３０ａ１が輻輳状態になるか否かを判断する。なお、輻輳状態になるか否かを判断する方法としては、例えば、ＣＰＵ使用率や残リソース量を監視し、かかるＣＰＵ使用率や残リソース量がある値以上になるか否かによって判断する方法がある。そして、輻輳検出部３１は、輻輳状態になると判断した場合には、回線接続処理部３２に緊急呼制御の発動を指示する信号を出力する。なお、緊急呼制御とは、後述する回線接続制御部１４によってなされた、回線接続要求を、緊急なもの、もしくは、緊急ではないものに区別した上でのローミング要求（ローミング要求については後述する）に対して、緊急ではない回線接続要求に区別されたローミング要求には、回線接続を拒否する応答を返す制御である。
【００４０】
回線接続処理部３２は、回線接続処理部４２による回線の接続処理を受け付けると、後述する回線接続制御部１４に対してルーティング要求を行う。なお、ルーティング要求とは、回線の接続先である移動通信端末がいずれの移動交換局装置配下に置かれるかの問い合わせを、移動交換局装置３０ａ１が回線接続制御装置１０に行うことである。
【００４１】
また、回線接続処理部３２は、後述する回線接続制御部１４からローミング要求を受け付ける。なお、ローミング要求とは、回線の接続元である移動通信端末を配下に置く移動交換局装置に対して回線の接続をうながす指示を、回線接続制御装置１０が該当する移動交換局装置に行うことである。ここで、回線接続処理部３２は、輻輳検出部３１から緊急呼制御の発動を指示する信号を受け取っている場合には、緊急な回線接続要求に区別されたローミング要求を受け付けたときのみ回線の接続処理に移行する。
【００４２】
［回線接続制御装置の構成および処理動作］
回線接続制御装置１０は、特に本発明に密接に関連するものとしては、移動通信端末情報記憶部１１と、緊急情報管理部１２と、優先接続要求部１３と、回線接続制御部１４と、を備える。なお、緊急情報管理部１２は、特許請求の範囲に記載の「識別情報付与手段」に対応し、優先接続要求部１３および回線接続制御部１４は、同じく「優先接続要求手段」に対応する。
【００４３】
移動通信端末情報記憶部１１は、移動通信端末ごとに種々の情報を記憶する。具体的には、図４に示すように、移動通信端末情報記憶部１１は、移動通信端末を一意に識別する移動通信端末識別子と、移動通信端末が存在する位置を示す位置情報コードと、現に移動通信端末を配下に置く移動交換局の識別情報である配下移動交換局装置識別子、回線接続要求を緊急なものか否かの判定に用いる緊急位置情報とを対応付けて記憶する。例えば、図３に示すように、移動通信端末情報記憶部１１は、移動通信端末識別子「Ａ」と、位置情報コード「０１」と、配下移動交換局装置識別子「Ａ１」と、緊急位置情報「０１」とを対応付けて記憶する。なお、図４は、移動通信端末情報記憶部が記憶する情報の例を示す図である。
【００４４】
緊急情報管理部１２は、所定のタイミングに所定の範囲内に存在した移動通信端末に対して識別情報を付与する。具体的には、緊急情報管理部１２は、保守制御装置２０の緊急設定送受信部２１から送信された位置情報コードを受信すると、移動通信端末情報記憶部１１によって記憶された全移動通信端末の位置情報コードと比較する。そして、緊急情報管理部１２は、両者が一致した場合には、受信した位置情報コードを緊急位置情報として格納する。例えば、図４に示すように、緊急情報管理部１２は、位置情報コード「０１」を受信し、全移動通信端末の位置情報コードと比較する。そして、緊急情報管理部１２は、比較の結果、移動通信端末識別子「Ａ」に対応付けられた位置情報コード「０１」と、受信した位置情報コード「０１」とが一致するので、位置情報コード「０１」を緊急位置情報「０１」として格納する。
【００４５】
優先接続要求部１３は、接続元と接続先の少なくとも一方が移動通信端末であって、当該移動通信端末に識別情報が付与されている場合に、当該回線接続要求を行った通信端末に対する優先した回線接続を要求する。具体的には、優先接続要求部１３は、緊急呼制御発動状態の無線ネットワーク制御装置４０ａ１の回線接続処理部４２から、回線接続要求を緊急なものとして取り扱うか否かの問い合わせとして、接続元および接続先の２つの移動通信端末識別子を移動交換局装置３０ａ１経由で受け取る。そして、優先接続要求部１３は、移動通信端末情報記憶部１１を参照し、２つの移動通信端末識別子に対応付けられた緊急位置情報のいずれかに情報が格納されている場合には、問い合わせの応答として、回線接続要求が緊急であることを示す情報を回線接続処理部４２に移動交換局装置３０ａ１経由で送信する。
【００４６】
また、優先接続要求部１３は、回線接続処理部３２によるルーティング要求を受け付けた回線接続制御部１４から、回線の接続先と、回線接続要求を緊急なものとして取り扱うかの問い合わせを受けると、移動通信端末情報記憶部１１を参照して応答する。具体的には、優先接続要求部１３は、回線接続制御部１４から、２つの移動通信端末識別子を受け取ると、接続先の移動通信端末識別子に対応付けられた配下移動交換局装置識別子を読み出して回線接続制御部１４に返す。また、優先接続要求部１３は、２つの移動通信端末識別子に対応付けられた緊急位置情報のいずれかに情報が格納されている場合には、回線接続要求が緊急であることを示す情報も回線接続制御部１４に返す。
【００４７】
回線接続制御部１４は、接続元と接続先の少なくとも一方が移動通信端末であって、当該移動通信端末に識別情報が付与されている場合に、当該回線接続要求を行った通信端末に対する優先した回線接続を要求する。具体的には、回線接続制御部１４は、移動交換局装置３０ａ１の回線接続処理部３２からルーティング要求を受け付けると、優先接続要求部１３に対して回線の接続先と、回線接続要求を緊急なものとして取り扱うかの問い合わせを、接続元および接続先の２つの移動通信端末識別子を出力することで行う。そして、回線接続制御部１４は、配下移動交換局装置識別子と、回線接続要求が緊急であることを示す情報とに基づいて、回線の接続先である移動交換局装置にローミング要求を行う。
【００４８】
［回線接続処理］
次に、図５を用いて、回線接続要求から、接続先の通信端末に回線が接続するまでの流れを説明する。なお、図５は、回線接続処理の流れの一例を示すシーケンス図である。
【００４９】
まず、無線ネットワーク制御装置４０ａ１の回線接続処理部４２は、移動通信端末による回線接続要求を基地局経由で受け付ける（図５の（１）参照）。ここで、それより以前に、輻輳検出部４１が緊急呼制御の発動を回線接続処理部４２に対して指示している場合には、回線接続処理部４２は、回線接続要求を緊急なものとして取り扱うか否かを、回線接続制御装置１０の優先接続要求部１３に対して移動交換局装置３０ａ１経由で問い合わせる（図５の（２）参照）。
【００５０】
問い合わせを受けた優先接続要求部１３は、問い合わせに対して、例えば緊急なものとして取り扱うように応答する（図５の（３）参照）。
【００５１】
回線接続処理部４２は、かかる応答を優先接続要求部１３から受け取ると、移動交換局装置３０ａ１の回線接続処理部３２に対して回線接続要求を行う（図５の（４）参照）。
【００５２】
回線接続処理部３２は、回線接続処理部４２から回線接続要求を受け付けると、回線接続制御装置１０の回線接続制御部１４に対してルーティング要求を行う（図５の（５）参照）。
【００５３】
回線接続制御部１４は、優先接続要求部１３に対して回線の接続先と、回線接続要求を緊急なものとして取り扱うかの問い合わせを行う（図５の（６）参照）。回線接続制御部１４は、接続先の移動交換局装置とともに、例えば緊急なものとして取り扱うよう指示する応答を優先接続要求部１３から受け取る（図５の（７）参照）。
【００５４】
そして、回線接続制御部１４は、接続先の移動交換局装置の回線接続処理部に対し、緊急である回線接続要求に区別したローミング要求を行う（図５の（８）参照）。
【００５５】
回線接続処理部は、かかるローミング要求を受け付けると、それより以前に、輻輳検出部によって緊急呼制御の発動を指示されている場合には、回線接続処理部３２に対して回線接続処理を行うとともに、接続先の移動通信端末に対して無線ネットワーク制御装置並びに基地局経由で回線接続処理を行う（図５の（９）参照）。
【００５６】
［回線接続制御装置による処理］
次に、図６、図７および図８を用いて、回線接続制御装置１０による処理を説明する。図６は、緊急位置情報格納処理の流れを示すフローチャートであり、図７は、無線ネットワーク制御装置による問い合わせに対する応答処理の流れを示すフローチャートであり、図８は、ルーティング要求に対する応答処理の流れを示すフローチャートである。
【００５７】
まず、図６に示すように、回線接続制御装置１０の緊急情報管理部１２は、保守制御装置２０の緊急設定送受信部２１から位置情報コードを受信すると（ステップＳ１１０肯定）、移動通信端末情報記憶部１１によって記憶された各移動通信端末の位置情報コードと比較する（ステップＳ１２０）。
【００５８】
そして、緊急情報管理部１２は、両者が一致した場合にのみ（ステップＳ１３０肯定）、受信した位置情報コードを緊急位置情報として格納する（ステップＳ１４０）。
【００５９】
そして、緊急情報管理部１２は、全移動通信端末分の位置情報コードとの比較を終えると（ステップＳ１５０肯定）、設定の完了を示す情報を緊急設定送受信部２１に送信する（ステップＳ１６０）。なお、ステップＳ１１０〜ステップＳ１６０の一連の処理については、回線接続制御装置１０が動作する間、繰り返し行われる。
【００６０】
また、図７に示すように、回線接続制御装置１０の優先接続要求部１３は、無線ネットワーク制御装置４０ａ１の回線接続処理部４２から、回線接続要求を緊急なものとして取り扱うか否かの問い合わせを受け付けると（ステップＳ１７０肯定）、かかる問い合わせにおいて受け取った２つの移動通信端末識別子に基づいて移動通信端末情報記憶部１１を参照する（ステップＳ１８０）。
【００６１】
そして、優先接続要求部１３は、２つの移動通信端末識別子に対応付けられた緊急位置情報のいずれかに情報が格納されている場合には（ステップＳ１９０肯定）、回線接続要求が緊急である旨の応答を行う（ステップＳ２００）。一方、優先接続要求部１３は、かかる緊急位置情報のいずれにも情報が格納されていない場合には（ステップＳ１９０否定）、回線接続要求が緊急ではない旨の応答を行う（ステップＳ２１０）。なお、ステップＳ１７０〜ステップＳ２１０の一連の処理については、回線接続制御装置１０が動作する間、繰り返し行われる。
【００６２】
また、図８に示すように、回線接続制御装置１０の回線接続制御部１４が、ルーティング要求を受け付けると（ステップＳ２２０肯定）、優先接続要求部１３は、かかるルーティング要求において回線接続制御部１４が受け取った２つの移動通信端末識別子に基づいて移動通信端末情報記憶部１１を参照する（ステップＳ２３０）。
【００６３】
そして、優先接続要求部１３による参照において、２つの移動通信端末識別子に対応付けられた緊急位置情報のいずれかに情報が格納されている場合には（ステップＳ２４０肯定）、回線接続制御部１４は、接続先の移動交換局装置に対して緊急な回線接続要求に区別したローミング要求を行う（ステップＳ２５０）。一方、回線接続制御部１４は、かかる緊急位置情報のいずれにも情報が格納されていない場合には（ステップＳ２４０否定）、緊急でない回線接続要求に区別したローミング要求を行う（ステップＳ２６０）。なお、ステップＳ２２０〜ステップＳ２６０の一連の処理については、回線接続制御装置１０が動作する間、繰り返し行われる。
【００６４】
［実施例１の効果］
上記したように、実施例１によれば、所定のタイミングに所定の範囲内に存在した移動通信端末に対して識別情報を付与し、接続元と接続先の少なくとも一方が移動通信端末であって、当該移動通信端末に識別情報が付与されている場合に、当該回線接続要求を行った通信端末に対する優先した回線接続を要求する。こうすることによって、優先的な回線接続が可能な区域として指定された範囲内に、当該指定がなされた時点に存在していた移動通信端末による回線接続要求、または、かかる移動通信端末への回線接続要求に対する回線接続の優先性を範囲外においても継続が可能となる。
【００６５】
なお、上記の実施例１では、基地局が発射する電波の届く範囲を単位とし、保守制御装置から位置情報コードを受信したタイミングに指定された範囲内に存在する移動通信端末に対して識別情報を付与する場合を説明したが、本発明はこれに限定されるものではなく、所定のタイミングに所定の範囲内に存在した移動通信端末に対して識別情報が付与されるものであれば、いかなる手法を用いて識別情報を付与する対象を決定してもよい。
【００６６】
例えば、位置情報の変位を変位情報として保持しておき、所定のタイミング（あるいは、期間でもよい）を示す時間情報と、所定の範囲内を示す領域情報を受け付ける。そして、時間情報および領域情報に基づいて、保持した変位情報より、所定のタイミングに所定の範囲内に存在した移動通信端末を探索し、識別情報を付与する対象を決定してもよい。また、このように変位情報を保持することによって、過去から現在までの任意のタイミングに、または、期間に、所定の範囲内に存在した移動通信端末に対しても識別情報を付与することが可能となる。
【実施例２】
【００６７】
実施例２では、緊急位置情報として格納された位置情報コードを消去することで、移動通信端末が有していた回線接続の優先性を剥奪する場合を説明する。
【００６８】
［回線接続制御装置の構成］
図９を用いて、実施例２に係る回線接続制御装置１０の構成を説明する。図９は、実施例２に係る回線接続制御装置１０の構成を示すブロック図である。同図に示すように、回線接続制御装置１０は、移動通信端末情報記憶部１１と、緊急情報管理部１２と、優先接続要求部１３と、回線接続制御部１４と、を備えるほか、実施例１と異なり、緊急位置情報消去部１５をさらに備える。なお、緊急位置情報消去部１５は、特許請求の範囲に記載の「識別情報消去手段」に対応する。なお、優先接続要求部１３および回線接続制御部１４については、実施例１と同じ動作をするので説明を省略する。
【００６９】
移動通信端末情報記憶部１１は、移動通信端末ごとに種々の情報を記憶する。具体的には、図１０に示すように、移動通信端末情報記憶部１１は、移動通信端末識別子と、位置情報コードと、配下移動交換局装置識別子と、緊急位置情報と、に加え、さらに、緊急位置情報として格納された位置情報コードを消去する条件の種類を示す消去条件識別情報と、かかる条件を満たしたか否かの判断に用いられる情報である条件成立判断情報と、を対応付けて記憶する。なお、図１０は、移動通信端末情報記憶部１１が記憶する情報の例を示す図である。
【００７０】
例えば、図１０に示すように、移動通信端末情報記憶部１１は、消去条件識別情報「一定時間」と、条件成立判断情報「３００分」とをさらに対応付けて記憶する。
【００７１】
緊急情報管理部１２は、実施例１と異なり、保守制御装置２０の緊急設定送受信部２１から、位置情報コードとともに、消去条件識別情報および条件成立判断情報を受信する。
【００７２】
そして、緊急情報管理部１２は、実施例１と同様に、移動通信端末情報記憶部１１によって記憶された全移動通信端末の位置情報コードと比較する。
【００７３】
そして、緊急情報管理部１２は、両者が一致した場合には、受信した位置情報コードを緊急位置情報として格納するとともに、実施例１と異なり、受信した消去条件識別情報および条件成立判断情報についても該当する箇所に格納する（図１０参照）。
【００７４】
緊急位置情報消去部１５は、所定の条件を満たした移動通信端末に付与された識別情報を消去する。以下に、所定の条件の例として、所定の時間まで識別情報が付与されたこと、移動通信端末の移動距離の積算が所定の値以上になったこと、並びに、移動通信端末から所定の範囲の境界までの距離が所定の値以上になったことを挙げ、それぞれの条件が成立して識別情報を消去するまでの緊急位置情報消去部１５の処理動作を説明する。
【００７５】
まず、所定の時間まで識別情報が付与されたことを条件に、当該条件を満たした移動通信端末に付与された識別情報を消去する例を説明する。
【００７６】
初めに、緊急情報管理部１２は、保守制御装置２０の緊急設定送受信部２１から受信する情報に、消去条件識別情報「一定時間」が含まれていた場合には、上記の処理を行うとともに、受信した位置情報コードを移動通信端末情報記憶部１１とは別の所定の記憶部にも格納する。
【００７７】
緊急位置情報消去部１５は、緊急情報管理部１２によって消去条件識別情報「一定時間」および条件成立判断情報「３００分」が所定箇所に格納された場合には、タイマで時間を計測するなどして、３００分だけ時間が経過するのを監視する。
【００７８】
そして、緊急位置情報消去部１５は、３００分が経過すると、全移動通信端末の緊急位置情報と、所定の記憶部に格納された位置情報コードとを比較する。そして、緊急位置情報消去部１５は、両者が一致した場合には、比較の対象である緊急位置情報を含め、かかる緊急位置情報に対応付けられた消去条件識別情報「一定時間」および条件成立判断情報「３００分」についても消去する。
【００７９】
次に、移動通信端末の移動距離の積算が所定の値以上になったことを条件に、当該条件を満たした移動通信端末に付与された識別情報を消去する例を説明する。
【００８０】
緊急位置情報消去部１５は、緊急情報管理部１２によって消去条件識別情報「移動回数」および条件成立判断情報「５」が所定箇所に格納された場合には、以降、該当する移動通信端末が、ある基地局の配下から別の基地局の配下へ移動した際（位置登録時）に行われる位置情報コードの更新回数を監視する。
【００８１】
そして、緊急位置情報消去部１５は、条件成立判断情報が示す数である「５」回の更新がなされると、該当する移動通信端末識別子に対応付けられて格納されている緊急位置情報と、消去条件識別情報「移動回数」と、条件成立判断情報「５」とを消去する。
【００８２】
次に、移動通信端末から所定の範囲の境界までの距離が所定の値以上になったことを条件に、当該条件を満たした移動通信端末に付与された識別情報を消去する例を説明する。
【００８３】
緊急位置情報消去部１５は、緊急情報管理部１２によって消去条件識別情報「移動距離」および条件成立判断情報「３Ｋｍ」が所定箇所に格納された場合には、位置登録で位置情報コードが更新されるたびに、当該更新後の位置情報コードと、緊急位置情報とを所定の記憶部に記憶された地図情報に照会するなどして、２点間の距離を算出する。
【００８４】
そして、緊急位置情報消去部１５は、算出した２点間の距離が、条件成立判断情報が示す距離である「３Ｋｍ」以上である場合には、該当する移動通信端末識別子に対応付けられて格納された緊急位置情報と、消去条件識別情報「移動距離」と、条件成立判断情報「３Ｋｍ」とを消去する。
【００８５】
［実施例２の効果］
上記したように、実施例２によれば、所定の条件を満たした移動通信端末については、当該移動通信端末が有していた回線接続の優先性を剥奪することが可能となる。
【実施例３】
【００８６】
さて、これまで本発明の実施例について説明したが、本発明は上述した実施例以外にも、種々の異なる形態にて実施されてよいものである。そこで、以下に示すように、（１）〜（２）にそれぞれ区分けして異なる実施例を説明する。
【００８７】
（１）識別情報の消去
また、上記の実施例２では、所定の条件が成立したことで識別情報を消去する場合を説明したが、本発明はこれに限定されるものではなく、回線接続の優先性を剥奪する移動通信端末から識別情報が消去されるものであれば、いかなる手法を用いて識別情報を消去してもよい。例えば、対象となる移動通信端末を直接指定して、当該移動通信端末から識別情報を消去するようにしてもよい。
【００８８】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、例えば、優先接続要求部１３と回線接続制御部１４を統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００８９】
以上のように、本発明に係る回線接続制御装置、回線接続制御方法および回線接続制御プログラムは、移動通信端末の位置情報を管理し、位置情報に基づいて移動通信端末に係る回線接続要求に関わる交換局間の回線接続を制御する場合に有用であり、優先的な回線接続が受けられる区域として指定された範囲内に、当該指定がなされた時点に存在していた移動通信端末による回線接続要求、または、かかる移動通信端末への回線接続要求に対する回線接続の優先性を範囲外においても継続を可能にすることに適する。
【図面の簡単な説明】
【００９０】
【図１】移動無線ネットワークの構成例を示す図である。
【図２】回線接続制御装置の概要および特徴を説明するための図である。
【図３】移動無線ネットワークの各ノードの構成を示すブロック図である。
【図４】移動通信端末情報記憶部が記憶する情報の例を示す図である。
【図５】回線接続処理の流れの一例を示すシーケンス図である。
【図６】緊急位置情報格納処理の流れを示すフローチャートである。
【図７】無線ネットワーク制御装置による問い合わせに対する応答処理の流れを示すフローチャートである。
【図８】ルーティング要求に対する応答処理の流れを示すフローチャートである。
【図９】実施例２に係る回線接続制御装置の構成を示すブロック図である。
【図１０】移動通信端末情報記憶部が記憶する情報の例を示す図である。
【符号の説明】
【００９１】
１０  回線接続制御装置
１１  移動通信端末情報記憶部
１２  緊急情報管理部
１３  優先接続要求部
１４  回線接続制御部
１５  緊急位置情報消去部
２０  保守制御装置
２１  緊急設定送受信部
３０ａ１〜３０ａｎ  移動交換局装置
３１  輻輳検出部
３２  回線接続処理部
４０ａ１〜４０ａｎ  無線ネットワーク制御装置
４１  輻輳検出部
４２  回線接続処理部
５０  他の電話網
【図１】
0005061781.tif 000002
【図２】
0005061781.tif 000003
【図３】
0005061781.tif 000004
【図４】
0005061781.tif 000005
【図５】
0005061781.tif 000006
【図６】
0005061781.tif 000007
【図７】
0005061781.tif 000008
【図８】
0005061781.tif 000009
【図９】
0005061781.tif 000010
【図１０】
0005061781.tif 000011